(57)【要約】【課題】通常時の使用感が良く、スカートを容易にたくし上げて固定することができ、ずり落ちる心配がなく、行動自由度を向上させ清潔に使用することができる衣類を提供すること。【解決手段】アウターウェアのスカート内に着用される下着であって、両脚が1つの筒に包まれるスカート状部分を含み、スカート本体を構成する主生地と、主生地の下端に設けられた伸縮性部材を備え、伸縮性部材が、縮時に主生地の裾回りよりも短い裾回り長さを有し、縮時の裾回り長さで主生地の下端と縫合されており、アウターウェアのスカート着用時に、下着末端からアウターウェアのスカートを含め折り上げることで、アウターウェアのスカートと下着を膝上、ヒップ又は腰位置で固定できることからなる。【選択図】図１
2019044318.tif 000002
【特許請求の範囲】
【請求項１】
アウターウェアのスカート内に着用される下着であって、両脚が1つの筒に包まれるスカート状部分を含み、スカート本体を構成する主生地と、主生地の下端に設けられた伸縮性部材を備え、伸縮性部材が、縮時に主生地の裾回りよりも短い裾回り長さを有し、縮時の裾回り長さで主生地の下端と縫合されており、アウターウェアのスカート着用時に、下着下端付近からアウターウェアのスカートを含め折り上げることで、アウターウェアのスカートと下着を膝上、ヒップ又は腰位置で固定できることを特徴とする下着。
【請求項２】
非縫製時の主生地の裾回り長さに対し、
縮時の伸縮性部材の裾回り長さが78%〜85%であることを特徴とする請求項１に記載の下着。
【請求項３】
下着の総丈、又はウェスト位置乃至下端丈が50cm以上70cm以下であることを特徴とする請求項１又は２に記載の下着。
【請求項４】
下着の総丈、又はウェスト位置乃至下端丈が55cm以上65cm以下であり、
非縫製時の主生地の裾回り長さに対し、
縮時の伸縮性部材の裾回り長さが80%〜82%であることを特徴とする請求項１に記載の下着。
【請求項５】
伸縮性部材の伸度が2〜2.5倍であり、
主生地の伸度が1.5倍以下であることを特徴とする請求項１から４のいずれか１項に記載の下着。
【請求項６】
下着がペチコート、又はスカート状部分を含むことを特徴とする請求項１から５のいずれか１項に記載の下着。
【発明の詳細な説明】
【技術分野】
【０００１】
本発明は、下着に関する。特に、両脚が1つの筒に包まれるスカート状部分を含んだ下着に関する。
【背景技術】
【０００２】
従来より、スカートの裾すべりをよくするため、スカートシルエットの美感を保つため、スカートの透けを防ぐため、型くずれを防ぐためなど、各種の目的のために、アウターの裏地代わりの役割をするスカート用の下着であるペチコートが市販されている。これらペチコートにおいては、丈の調節が可能なものも開示されている（例えば、特許文献１参照）。
【先行技術文献】
【特許文献】
【０００３】
【特許文献１】特開２００２−２３５２１５号公報
【発明の概要】
【発明が解決しようとする課題】
【０００４】
一方、女性がスカートを着用していると、用を足すときにはスカートを手でたくし上げた状態にする必要がある。また、家事を行うときにも、スカートをたくし上げて、ウェスト回り等に裾を入れて固定するなどして、スカートが落ちて汚れることを防いだり、足回りを自由にすることが便宜上行われている。しかし、これらスカートのたくし上げについては、固定に困難があったり不十分な場合がある。
【０００５】
そこで、本考案は、通常時の使用感が良く、スカートを容易にたくし上げて固定することができ、ずり落ちる心配がなく、行動自由度を向上させ清潔に使用することができる衣類を提供することを目的とする。
【課題を解決するための手段】
【０００６】
上記課題を解決するため、本発明は、アウターウェアのスカート内に着用される下着であって、両脚が1つの筒に包まれるスカート状部分を含み、スカート本体を構成する主生地と、主生地の下端に設けられた伸縮性部材を備え、伸縮性部材が、縮時に主生地の裾回りよりも短い裾回り長さを有し、縮時の裾回り長さで主生地の下端と縫合されており、アウターウェアのスカート着用時に、下着下端付近からアウターウェアのスカートを含め折り上げることで、アウターウェアのスカートと下着を膝上、ヒップ又は腰位置で固定できることからなる。
【０００７】
本発明は、アウターウェアのスカート内に着用される下着であって、両脚が1つの筒に包まれるスカート状部分を含む下着、すなわちペチコートとして構成される。ただし、上半身下着と一体的に構成されているものなど、ペチコートのみに限らず、スカート状部分を備える下着全般を含む。当該下着において、スカート本体を構成する主生地は、綿、ポリエステル、ナイロンなど、下着用の公知の素材を所望の肌触りに応じて適宜使用することができる。したがって、主生地は単一の生地で良いが、必ずしも単一の生地には限定されない。そして、本発明においては、主生地の下端に、伸縮性部材が設けられる。典型的にはゴム素材であり、平ゴムやレースゴムなど、各種の素材を使用することができる。好適には、伸縮性部材の伸度が2〜2.5倍であり、主生地の伸度が1.5倍以下である。
【０００８】
伸縮性部材は、縮時（通常）において、主生地の裾回りよりも短い裾回り長さを有する。そして、縮時の長さで主生地の下端と伸縮性部材が縫合されるため、主生地は本来の裾回り長さよりも短く縫製される。この構成により、主生地における余幅を活用して、下着下端付近を持ちアウターウェアのスカートを含めた折り上げ（たくし上げ）を容易に可能にしつつ、アウタースカートと下着をまとめて膝上、ヒップ又は腰位置に固定することを可能にするものである。
【０００９】
上記の構成により、スカート素材にかかわらず、用を足すとき、家事を行うときにも、簡単に折り上げることができ、膝上、ヒップ又は腰位置に固定することができる。このため、ずり落ちる心配がなく、両手を自由に使用することができ、行動自由度を向上させ清潔に使用することができるものである。
【００１０】
さらに、本発明は、非縫製時の主生地の裾回り長さに対し、縮時の伸縮性部材の裾回り長さが78%〜85%、特に80%〜82%であることが好適である。また、下着の総丈、又はウェスト位置乃至下端丈が50cm以上70cm以下であること、特に55cm以上65cm以下であることが好適である。本発明においては、上記の目的を達成できる限り、様々な裾回り比率で主生地と伸縮性部材を縫製することが可能であり、ペチコートの総丈も特に限定されない。しかし、上記の比率が、歩きやすさ、及び固定効果を両立させるのに特に好適であることを後述の試験により発見したものである。この比率は、後述の通り、下着を着用して歩く際に、違和感を生じない一方で、十分な固定感を得ることができるのに最適である。
【図面の簡単な説明】
【００１１】
【図１】本発明の下着の実施の１例を示す図である
【図２】裾下端の弾性部材を非縫製時の下着を示す図である。
【図３】本発明の下着の裾の裏側の縫製を示す概念図である。
【図４】本発明の下着をアウタースカートと一緒に折り上げ固定している写真である。
【図５】本発明の別の実施の例である。
【発明を実施するための形態】
【００１２】
本発明の実施の１例を、図面を参照して説明する。図１は、本発明の下着１の実施の１例を示す図であり、図２は裾下端の弾性部材を非縫製時の下着を示す図であり、図３は本発明の下着の裾の裏側の縫製を示す概念図である。ただし、図面上の縮尺は必ずしも完全に正確ではない。
【００１３】
本実施例の下着１は、スカート状のペチコートとして構成され、総丈Aは55cmのMサイズである。下着１は、ヒップ回りから腿回りを覆う主生地２を備える。主生地２は、トリコット生地から構成され、肌触り及び滑りが良く、伸縮性が低く構成されている。主生地２の上端には、ウェスト用の平ゴム３が縫製され、下着をウェスト位置に固定可能である。
【００１４】
主生地２の下端には、弾性部材として平ゴム４が偏平二本針ミシンにより縫製されている。平ゴム４は、丈が1.5cm、伸度が2.2倍である。平ゴム４の長さ、すなわち裾回り長さB（ただし、裏面を含む全体の長さ）は95cmである。一方、非縫製時の主生地の裾回り長さC（ただし、裏面を含む全体の長さ）は、図２に示され、平ゴム４の非縫製時は116cmである。したがって、非縫製時の主生地２の裾回り長さCに対し、縮時の伸縮性部材の裾回り長さBは81.8%である。このため、図３によく示されるように、主生地２の下端には若干の皺又はたわみが生じた状態で縫合され、平ゴム４を伸ばした際に余幅として作用する。また、主生地２は二枚の生地が両側の縫い目５にて縫製されている。また、下端において平ゴム４と主生地２が縫い目５にて縫製されている。
【００１５】
図４は、本発明の下着１とアウタースカート６を着用した状態から、下着１をアウタースカート６と一緒に折り上げて固定する状態を左から右へ写真にて示したものである。使用者は、下着１の下端付近をつかみ、下端が持ち上がるように少し広げながらアウタースカート６と共に折り上げ（左）、腰位置にて固定（右）することができる。一度固定されると、両手を放してもずり落ちることがない。固定は、下着１やアウタースカート６の長さにもよるが、膝上〜腰位置の任意の位置で可能である。したがって、女性がお手洗い等で用を足すとき、家事を行うときなど、必要に応じて簡易かつ即座に行動自由度を向上させ清潔に使用することが可能となっている。
【００１６】
図５は、本発明の別の実施の例である。下着１は、スカート状部分７だけでなく上半身の下着部分８と一体的に形成されている。ウェスト位置９は、一般的にはアウトラインの切替え位置である。本実施例においては、主生地２はスカート部分７も上半身部分８も同生地を使用しているが、別素材としても良い。また、本実施例において、好適な丈の判断基準はウェスト位置乃至下端丈Dとなる。使用方法は図１に記載の実施例と同様である。すなわち、本発明はペチコートだけでなく、スカート状部分を含む下着にも適用可能である。
【００１７】
また、図１に記載の実施例において、アウタースカート６を着用した状態で、非縫製時の主生地の裾回り長さに対し、縮時の伸縮性部材の裾回り長さの比を変えて、効果を検証した結果が下記表１である。当該検証においては、総丈が55cmの下着１において、比を78〜85％で構成して、歩行感（歩きやすさ）、及び固定感についてアンケートを行ったものである。なお、非縫製時の主生地の裾回り長さCは、116cmである。評価については、固定感：○快適、△不安、×留まらない，であり、歩行感：○快適、△やや気になる、×不快である。
【００１８】
2019044318.tif 000003
【００１９】
さらに、比が82%の下着１について、総丈を60,65,70の下着として構成し、上記と同様の検証を行った結果が下記表２である。なお、非縫製時の主生地の裾回り長さCは、60丈は120cm、65丈は124cm、70丈は128cmである。
【００２０】
2019044318.tif 000004
【００２１】
以上の結果から、比を78〜85％としても、歩行感及び固定感のいずれにおいても、好適な効果を奏することが判明した。しかしながら、比が78%より小さくなると、使用者によっては、固定感については非常に良好であるものの、歩行感については若干違和感を感じる使用者がいることが判明した。一方、比が85％より大きくなると、歩行については好適感が強いものの、固定感に違和感を感じる使用者がいることが判明した。さらに、総丈についても、55〜70cmまで、好適な効果を奏するものの、70cm以上になると、固定効果又は歩行感のいずれについても違和感のある使用者がいることが判明した。以上の検証結果によれば、あまり下端の弾性部材をきつく設定すると、弾性部材が歩行時に足に触れて足の動きの自由度が下がることで違和感を生じやすい場合があり、一方弾性部材をゆるく設定すると、下着を折り上げた際の固定感又は固定効果が十分に得られない場合があり、総丈が長すぎると、効果が生じにくい場合があることが判明した。したがって、総丈が55cm以上65cm以下、長さ比が80%〜82%であることが、歩行感及び固定感のいずれの効果をも両立させるのに特に好適であることが判明した。
【符号の説明】
【００２２】
１  下着
２  主生地
３  平ゴム
４  平ゴム
５  縫い目
６  アウタースカート
７  スカート状部分７
８  上半身の下着部分８
９  ウェスト位置
【図１】
2019044318.tif 000005
【図２】
2019044318.tif 000006
【図３】
2019044318.tif 000007
【図４】
2019044318.tif 000008
【図５】
2019044318.tif 000009